(57)【要約】【課題】特定の利用者が複雑な操作なしに不停止の設定または解除が可能であり、解除階に第三者を侵入させないエレベーターの不停止制御装置を提供する。【解決手段】乗りかごの運転盤６に網膜照合装置９を設け、利用者の網膜データをあらかじめ登録しておいた特定利用者の網膜データと照合することにより、不停止を設定または解除すると共に、不停止解除階の呼び釦７操作後、解除階へ直行運転することにより、第三者を不停止階へ侵入できないようにすることが可能である。。【選択図】図１
2005154136.tif 000002
【特許請求の範囲】
【請求項１】
ホール呼びまたは乗りかご呼びに応答して各階床にサービスする乗りかごの行き先階を、必要に応じて、不停止階に設定または解除するようにしたエレベーターの不停止階の設定及び解除方法において、前記乗りかごの運転盤に網膜照合装置を設け、利用者の網膜データとあらかじめ登録しておいた特定利用者の網膜データを照合することにより、不停止階を設定または解除すると共に、不停止解除階の呼び釦操作後、解除階へ直行運転することにより第三者が不停止階へ侵入できないようにしたことを特徴とするエレベーターの不停止制御装置。
【請求項２】
請求項１の記載において、かごドアが閉まっていることを網膜照合実施の前提条件とし、かつ網膜照合の開始を不停止の設定または解除階の呼び釦操作により実施することを特徴とするエレベーターの不停止制御装置。
【発明の詳細な説明】
【技術分野】
【０００１】
エレベーターの不停止制御装置に関するものである。
【背景技術】
【０００２】
一般的にエレベーターの不停止設定および解除方法は特殊な鍵や磁気カードの挿入、または暗証番号のキー入力操作等により行うものや、指紋により判定するものがかご内に設置されており、これにより特定の利用者のみエレベーターの行先階を制御することでビル内のセキュリティを向上させていた。
【０００３】
しかし、鍵や磁気カードの挿入、暗証番号のキー入力操作、指紋にて判定するものにおいては、乗りかご内の操作パネル上に設置されていると、これらは通常の利用には使用されることがないことから、一般利用者にいたずらされて故障することが考えられる他、かご内の行先階ボタンを使用した暗証番号のキー入力操作では操作者の近くにいる一般利用者にその手順を覚えられやすい問題点があり、この種の問題を解決する技術としては、特殊及び登録用に特殊な装置をエレベーター乗り場やかご内に設置する必要がなく、また特殊呼び登録操作の手順が第三者に覚えられにくいエレベーターの特殊呼び登録装置として特定の呼び登録ボタンの四隅それぞれが特定の順番に押されると、対応する接点それぞれがその順番に動作し、あらかじめ記憶装置に登録されている順番に一致するように動作した時に特殊呼びを登録するような発明が知られている（特許文献１参照）。
【特許文献１】特開２００１−１８０８７６号公報
【発明の開示】
【発明が解決しようとする課題】
【０００４】
上記特許文献１に示した発明は、特定の呼び登録ボタンの複数箇所それぞれを所定の順番で押さなければならないため、利用者が順番を記憶する必要があり、また、容易な手順にすると偶然にも覚えられてしまう可能性もある。
【０００５】
本発明は、上記不都合を解消するためになされたもので、その目的は、特定の利用者が複雑な操作なしに不停止の設定または解除を可能とし、解除階に第三者を侵入させないエレベーターの不停止制御装置を提供することにある。
【課題を解決するための手段】
【０００６】
この目的を達成するために請求項１に係わる本発明は、ホール呼びまたは乗りかご呼びに応答して各階床にサービスする乗りかごの行き先階を、必要に応じて不停止階に設定または解除するようにしたエレベーターの不停止階設定及び解除方法において、前記乗りかごの運転盤に網膜照合装置を設け、利用者の網膜データをあらかじめ登録しておいた特定利用者の網膜データと照合することにより、不停止を設定または解除すると共に、不停止解除階の呼び釦操作後、解除階へ直行運転することにより第三者が不停止階へ侵入できないようにしたことを特徴とする。
【０００７】
また請求項２にかかわる本発明はかごドアが閉まっていることを網膜照合実施の前提条件をとし、かつ網膜照合開始を不停止の設定または解除したい階の呼び釦の操作により実施することを特徴とする。
【発明の効果】
【０００８】
本発明は、上記のように構成したため、複雑な操作を必要とせずに特定利用者を照合して不停止を設定または解除すると共に、不停止解除階の呼び釦操作後、解除した階へ直行運転することにより第三者が不停止階へ侵入できないようにすることが可能である。
【発明を実施するための最良の形態】
【０００９】
図１〜３は本発明の一実施の形態を示す図で、図１は全体構成図、図２は装置構成図、図３はフローチャートである。
【００１０】
図１において、１はエレベーターの乗り場、２は乗り場ボタン、３は乗り場１の出入口を開閉する乗り場ドア、４は乗りかご、５は乗りかご４の出入口を開閉するかごドア、６はかご４内に設置されたかご内操作盤、７はかご内操作盤６に配置され行先呼びを登録する行先ボタン、８は乗客の網膜を検出して特定利用者を照合する網膜検出器である。
【００１１】
９は網膜検出器８に接続され、検出された網膜データとあらかじめ登録された網膜データとを照合する網膜照合装置、１０は乗り場ボタン２、かご内操作盤６及び網膜照合装置９に接続され、エレベーターの運転を制御する制御盤である。
【００１２】
図２において、１１は不停止階ボタン、１２は網膜検出器、１３はあらかじめ登録されている特定利用者の網膜データ、１４は網膜検出器１２により検出された網膜データとあらかじめ登録されている特定利用者の網膜データ１３を照合する網膜照合装置、１５は網膜照合装置１４の照合状況により不停止階ボタン１１の解除・登録を行う不停止階解除・登録手段、１６は登録された呼びに応じてかごの運転を制御する運転制御装置である。
【００１３】
次にこの実施の形態の動作を図３のフローチャートを参照して説明する。
【００１４】
図３において、ステップＳ１でかごドアが閉じているかを判定し、第三者がかご内に入り込んで来ることを未然に防止する。かごドアが閉じている場合は、ステップＳ２にて不停止階ボタン１１が押されたかを判定する。不停止階ボタン１１が押されない場合はステップ３にて通常ボタンに呼びを登録してエレベーターを走行させて通常のサービスを行い、不停止階ボタン１１が押された場合はステップＳ４にて網膜照合装置１３により網膜照合を開始し、ステップＳ５にて一定時間内に照合が完了したかを判定し、ステップＳ６にて許可・不許可を判定する。ステップＳ５にて一定時間内に照合が完了しない場合、またはステップＳ６にて不許可の場合はステップＳ２に戻る。ステップ６にて許可する場合はステップ７にて不停止階の解除を行い、解除後に呼び登録を行う。呼び登録後はステップＳ８にて不停止解除階へ直行運転士、第三者が途中からかごに乗り込んで来ることを防止する。
【００１５】
以上のように本発明は乗りかごの運転盤に網膜照合装置を設け、利用者の網膜データをあらかじめ登録しておいた特定利用者の網膜データと照合することにより、不停止を設定または解除すると共に、不停止解除階の呼び釦操作後、解除階へ直行運転することにより、第三者が不停止階へ侵入できないようなエレベーターの不停止制御装置を構成したため、特定の利用者が複雑な操作なしに不停止の設定または解除可能であり、かつ第三者を不停止階に侵入させないセキュリティに優れたエレベーターの不停止制御装置を提供することができる。
【図面の簡単な説明】
【００１６】
【図１】本発明の一実施の形態を示す全体構成図。
【図２】本発明の一実施の形態を示す装置構成図。
【図３】本発明の一実施の形態を示すフローチャート。
【符号の説明】
【００１７】
１    乗り場
２    乗り場ボタン
３    乗り場ドア
４    乗りかご
５    かごドア
６    かご内操作盤
７    行先ボタン
８    網膜検出器
９    網膜照合装置
１０  制御盤
【図１】
2005154136.tif 000003
【図２】
2005154136.tif 000004
【図３】
2005154136.tif 000005